(57)【要約】【解決手段】底部Ｓと、底部の一方の相対する辺部にヒンジ連結された側壁Ｗ１と、底部のもう一方の相対する辺部にヒンジ連結された側壁Ｗ２とからなる折り畳みコンテナーにおいて、前記底部を、底部角部パーツ１と底板Ｄ１と側板Ｄ２、Ｄ３とにより構成するとともに、前記側壁を、１個の雄ヒンジパーツ部材２Ａ、２Ｂと適当数の中間パーツ部材３Ａ、３Ｂと１個のロックパーツ部材４Ａ、４Ｂとからなる角部支柱部材Ｃ１、Ｃ２と、該角部支柱部材を連結する板材Ｄ４、Ｄ５とにより構成したものである。【効果】４つの底部角部パーツの相対する間隔を、適宜、調整することにより、底部の面積を、適宜、設定することができるので、折り畳みコンテナーの容積を、自由に、調整することができる。【選択図】図１
2004106896.tif 000002
【特許請求の範囲】
【請求項１】
底部と、底部の一方の相対する辺部にヒンジ連結された側壁と、底部のもう一方の相対する辺部にヒンジ連結された側壁とからなる折り畳みコンテナーにおいて、前記底部を、底部角部パーツと底板と底部側板とにより構成するとともに、前記側壁を、１個の雄ヒンジパーツ部材と適当数の中間パーツ部材と１個のロックパーツ部材とからなる角部支柱部材と、該角部支柱部材を連結する板材とにより構成したことを特徴とする折り畳みコンテナー。
【発明の詳細な説明】
【０００１】
【発明の属する技術分野】
底部と、底部の一方の相対する辺部にヒンジ連結された一方の相対する側壁と、底部のもう一方の相対する辺部にヒンジ連結されたもう一方の相対する側壁とからなり、箱型に組み立てられた状態から、一方の相対する側壁を、底部に重なるように倒し、次いで、もう一方の相対する側壁を、底部に重ねられた一方の相対する側壁の上に重ねることにより、高さの低いコンパクトな状態に折り畳むことが可能な折り畳みコンテナーに関するものである。
【０００２】
【従来の技術】
従来、上部コーナー部材と下部コーナー部材と縦フレームにより構成された四隅部材に、底板や側板を配設した、組み立て式の折り畳みコンテナーが知られている（特許第３２９４５５６号公報）。また、従来、コンテナに、高さ変更本体を配設することにより、高さが変更可能なコンテナが知られている（実公平２−１５７８４号公報）。
【０００３】
【発明が解決しようとする課題】
上述した折り畳みコンテナーは、組み立てや分解が可能であるが、折り畳みコンテナーの高さや巾や奥行きを自在に変更可能なものではなく、折り畳みコンテナーの容量を変更することができないという問題があった。また、高さ変更本体を配設することにより、コンテナーの容量を変更することができるが、このようなコンテナーは折り畳みコンテナーではないので、空の状態のコンテナーの収納効率が悪いという問題がある。
【０００４】
本発明の目的は、コンテナーの容量を自在に変更可能な折り畳みコンテナーを提供することにある。
【０００５】
【課題を解決するための手段】
本発明は、上述した目的を達成するために、底部と、底部の一方の相対する辺部にヒンジ連結された側壁と、底部のもう一方の相対する辺部にヒンジ連結された側壁とからなる折り畳みコンテナーにおいて、前記底部を、底部角部パーツと底板と底部側板とにより構成するとともに、前記側壁を、１個の雄ヒンジパーツ部材と適当数の中間パーツ部材と１個のロックパーツ部材とからなる角部支柱部材と、該角部支柱部材を連結する板材とにより構成したものである。
【０００６】
【実施例】
以下に、本発明の実施例について説明するが、本発明の趣旨を越えない限り何ら、本実施例に限定されるものではない。
【０００７】
図１〜図４において、１は、折り畳みコンテナーの底部Ｓを構成する、底部Ｓの四隅に配設される底部角部パーツであり、底部角部パーツ１は、平面形状が方形状の底板部１ａと、底板部１ａの１つの角部に立設された、平面形状が略Ｌ字状のコーナー部材１ｂとから形成されており、コーナー部材１ｂは、高さの高い壁部１ｂ１と、該壁部１ｂ１より高さの低い壁部１ｂ２とを有している。高さの高い壁部１ｂ１には、平面形状が略方形状の縦孔ｈ１が形成されており、底板部１ａ側の高さの高い壁部１ｂ１の壁板１ｂ３の縦孔ｈ１の中央部に対応する部分には、所定の巾を有するスリットｈ２が形成されているとともに、スリットｈ２の両側に位置する壁板１ｂ３の縦孔ｈ１側の内壁面には、下方に係止ノッチｈ３ａが形成された係止突部ｈ３が形成されている。上記の縦孔ｈ１とスリットｈ２と係止ノッチｈ３ａを有する係止突部ｈ３とにより、底部角部パーツ１の高さの高い壁部１ｂ１側の雌ヒンジ部Ｈ１が形成されている。同様に、高さの低い壁部１ｂ２にも、平面形状が略方形状の縦孔ｈ４が形成されており、底板部１ａ側の高さの低い壁部１ｂ２の壁板１ｂ４の縦孔ｈ４の中央部に対応する部分には、所定の巾を有するスリットｈ５が形成されているとともに、スリットｈ５の両側に位置する壁板１ｂ４の縦孔ｈ４側の内壁面には、下方に係止ノッチｈ６ａが形成された係止突部ｈ６が形成されている。上記の縦孔ｈ４とスリットｈ５と係止ノッチｈ６ａを有する係止突部ｈ６とにより、底部角部パーツ１の高さの低い壁部１ｂ２側の雌ヒンジ部Ｈ２が形成されている。
【０００８】
底部角部パーツ１を構成するコーナー部材１ｂの高さの高い壁部１ｂ１は、コーナー部材１ｂの角部を越えて、高さの低い壁部１ｂ２方向に延在しており、従って、高さの高い壁部１ｂ１の平面形状は、略Ｌ字状に形成されている。なお、高さの低い壁部１ｂ２方向に延在して部分を、高さの高い壁部１ｂ１の高さの低い壁部１ｂ２側部分と称し、符号１ｂ１’が付されている。また、高さの高い壁部１ｂ１の高さの低い壁部１ｂ２側部分１ｂ１’の上部角部の外側には、傾斜面１ｃが形成されており、傾斜面１ｃを形成することにより、高さの高い壁部１ｂ１の高さの低い壁部１ｂ２側部分１ｂ１’の上部角部の内側には、嵌合凸部１ｄが形成されている。
【０００９】
底部角部パーツ１を構成するコーナー部材１ｂの高さの高い壁部１ｂ１の側端部の底板部１ａ側を、所定の幅に亘たって縦方向に切除することにより、高さの高い壁部１ｂ１の側端部には、薄肉部１ｂ５が形成されており、同様に、底部角部パーツ１を構成するコーナー部材１ｂの高さの低い壁部１ｂ２の側端部の底板部１ａ側を、所定の幅に亘たって縦方向に切除することにより、高さの低い壁部１ｂ２の側端部にも、薄肉部１ｂ６が形成されている。また、底板部１ａ、高さの高い壁部１ｂ１の薄肉部１ｂ５及び高さの低い壁部１ｂ２の薄肉部１ｂ６には、折り畳みコンテナーの側壁等を形成する紙製や合成樹脂製の段ボールや薄板等を取り付けるためのリベットやボルトやピン等の取付具が挿入可能な透孔Ｂが、それぞれ適当数、穿設されている。
【００１０】
図１、図２及び図５〜図８において、２Ａ、２Ｂは、一組の雄ヒンジパーツ部材であり、雄ヒンジパーツ部材２Ａ、２Ｂにより、雄ヒンジパーツ２が構成されている。
【００１１】
一方の雄ヒンジパーツ部材２Ａは、略方形な板状の主部２ａと、主部２ａの一方の側端から、主部２ａに直交するように延在する張出部２ｂとを有しており、上述した底部角部パーツ１を構成するコーナー部材１ｂの高さの高い壁部１ｂ１の略Ｌ字状の平面形状と同様に、その平面形状は、略Ｌ字状に形成されている。また、雄ヒンジパーツ部材２Ａの主部２ａの上端水平フランジ２ａ１には、平面形状が方形状の係止透孔Ｅが穿設されているとともに、主部２ａの張出部２ｂと反対側に位置する側端部を、所定領域に亘たって切除することにより、薄肉部２ａ２が形成されている。主部２ａの下端水平フランジ２ａ３の裏面には、上述した底部角部パーツ１の高さの高い壁部１ｂ１側の雌ヒンジ部Ｈ１の縦孔ｈ１に挿入されるとともに、スリットｈ２から排出可能な支柱ｈ７が垂設されており、また、支柱ｈ７の一方の相対する垂直面の下端部には、係止凸部ｈ８が水平方向に延設されている。上記の支柱ｈ７と係止凸部ｈ８とにより、雄ヒンジパーツ部材２Ａの雄ヒンジ部Ｈ１’が形成されている。更に、主部２ａの張出部２ｂ付近の下端には、切り込み凹部２ａ４が形成されており、また、張出部２ｂには、水平方向の嵌合透孔２ｂ１が穿設されている。
【００１２】
もう一方の雄ヒンジパーツ部材２Ｂは、略方形な板状の主部２ｃと、主部２ｃの一方の側端上部から延在された薄肉な重合部２ｄとを有しており、この重合部２ｄは、上述した雄ヒンジパーツ部材２Ａの張出部２ｂに重なり合うように、略同じ大きさに形成されており、また、重合部２ｄには、雄ヒンジパーツ部材２Ａの張出部２ｂに穿設された嵌合透孔２ｂ１に嵌合する嵌合突部２ｄ１が突設されている。また、重合部２ｄと主部２ｃとにより形成される凹み部２ｅには、上述した底部角部パーツ１と雄ヒンジパーツ２とを組みたてた際に、底部角部パーツ１の高さの高い壁部１ｂ１の高さの低い壁部１ｂ２側部分１ｂ１’が挿入されるように構成されている。
【００１３】
雄ヒンジパーツ部材２Ｂの主部２ｃの上端水平フランジ２ｃ１には、平面形状が方形状の係止透孔Ｅが穿設されているとともに、雄ヒンジパーツ部材２Ｂの主部２ｃの重合部２ｄと反対側に位置する側端部を、所定領域に亘たって切除することにより、薄肉部２ｃ２が形成されている。また、主部２ｃの下端水平フランジ２ｃ３の裏面には、上述した底部角部パーツ１の高さの低い壁部１ｂ２側の雌ヒンジ部Ｈ２の縦孔ｈ４に挿入されるとともに、スリットｈ５から排出可能な支柱ｈ９が垂設されており、また、支柱ｈ９の一方の相対する垂直面の下端部には、係止凸部ｈ１０が水平方向に延設されている。主部２ｃの下端水平フランジ２ｃ３の裏面に配設された支柱ｈ９と係止凸部ｈ１０とにより、雄ヒンジパーツ部材２Ｂ側の雄ヒンジ部Ｈ２’が形成されている。
【００１４】
雄ヒンジパーツ部材２Ａの主部２ａの薄肉部２ａ２及び雄ヒンジパーツ部材２Ｂの主部２ｃの薄肉部２ｃ１にも、折り畳みコンテナーの側壁等を形成する紙製や合成樹脂製の段ボールや薄板等を取り付けるためのリベットやボルトやピン等の取付具が挿入可能な透孔Ｂが、それぞれ適当数、穿設されている。
【００１５】
図１、図２及び図９〜図１２において、３Ａ、３Ｂは、一組の中間パーツ部材であり、中間パーツ部材３Ａ、３Ｂにより、中間パーツ３が構成されている。
【００１６】
一方の中間パーツ部材３Ａは、略方形な板状の主部３ａと、主部３ａの一方の側端から、主部３ａに直交するように延在する張出部３ｂとを有しており、上述した雄ヒンジパーツ部材２Ａの略Ｌ字状の平面形状と同様に、その平面形状は、略Ｌ字状に形成されている。また、主部３ａの上端水平フランジ３ａ１には、平面形状が方形状の係止透孔Ｅが穿設されているとともに、主部３ａの張出部３ｂと反対側に位置する側端部を、所定領域に亘たって切除することにより、薄肉部３ａ２が形成されている。更に、主部３ａの下端水平フランジ３ａ３の裏面には、係止部材Ｆが形成されている。係止部材Ｆは、主部３ａの下端水平フランジ３ａ３の裏面に、所定の間隔を置いて垂設された一対の弾性変形可能な脚部ｆ１と、一対の脚部ｆ１の下端に、互いに離反する方向に、それぞれ延在する係止突起ｆ２とから構成されている。主部３ａの上端水平フランジ３ａ１に穿設された係止透孔Ｅと、主部３ａの下端水平フランジ３ａ３の裏面に形成された係止部材Ｆとは、平面的に見て一致するような位置に配設されている。
【００１７】
もう一方の中間パーツ部材３Ｂは、略方形な板状に形成されており、中央部に位置する主部３ｃと、主部３ｃの一方の側端に連接された薄肉で、且つ、一方の中間パーツ部材３Ａの張出部３ｂに重なり合うように、略同じ大きさに形成されている板状の重合部３ｄと、主部３ｃのもう一方の側端に連接された板状の薄肉部３ｅとを有している。また、主部３ｃの上端水平フランジ３ｃ１には、上述した係止透孔Ｅと同様の係止透孔Ｅが穿設されており、主部３ｃの下端水平フランジ３ｃ２には、上述した係止部材Ｆが形成されている。そして、主部３ｃの上端水平フランジ３ｃ１に穿設された嵌合透孔Ｅと、主部３ｃの下端水平フランジ３ｃ２の裏面に形成された係止部材Ｆも、上述した中間パーツ部材３Ａに形成された嵌合透孔Ｅと係止部材Ｆと同様に、平面的に見て一致するような位置に配設されている。
【００１８】
中間パーツ部材３Ａの主部３ａの薄肉部３ａ２及び中間パーツ部材３Ｂの薄肉部３ｅにも、折り畳みコンテナーの側壁等を形成する紙製や合成樹脂製の段ボールや薄板等を取り付けるためのリベットやボルトやピン等の取付具が挿入可能な透孔Ｂが、それぞれ適当数、穿設されている。
【００１９】
図１、図２及び図１３〜１６において、４Ａ、４Ｂは、一組のロックパーツ部材であり、ロックパーツ部材４Ａ、４Ｂにより、ロックパーツ４が構成されている。
【００２０】
一方のロックパーツ部材４Ａは、略方形な板状の主部４ａと、主部４ａの一方の側端から、主部４ａに直交するように延在する張出部４ｂとを有しており、上述した中間パーツ３を構成する一方の中間パーツ部材３Ａの略Ｌ字状の平面形状と同様に、その平面形状は、略Ｌ字状に形成されている。また、主部４ａの張出部４ｂと反対側に位置する側端部を、所定領域に亘たって切除することにより、薄肉部４ａ１が形成されているとともに、薄肉部４ａ１の上端部は、更に薄い薄肉部４ａ１’に形成されている。更に、主部４ａの下端水平フランジ４ａ２の裏面には、上述した係止部材Ｆが形成されている。
【００２１】
ロックパーツ部材４Ａの主部４ａには、主部４ａにコの字状のスリット４ｃを形成することにより、弾性変形可能な略水平な係止舌片４ｄが形成されており、係止舌片４ｄは、根元部が、薄肉部４ａ１側に位置し、自由端部が、張出部４ｂ側に位置するように形成されている。係止舌片４ｄの自由端部には、先端に行くほど、自由端部が肉厚となるような傾斜面４ｄ１が形成されており、このような傾斜面４ｄ１を形成することにより、自由端部には、主部４ａの内壁面より、張出部４ｂ方向に突出した係止突部４ｄ２が形成されている。また、張出部４ｂには、水平方向の嵌合透孔４ｂ１が穿設されている。なお、本実施例においては、上下方向に所定の間隔を置いて、２個の嵌合透孔４ｂ１が穿設されている。
【００２２】
もう一方のロックパーツ部材４Ｂは、略方形な板状に形成されており、中央部に位置する主部４ｅと、主部４ｅの一方の側端に連接された薄肉で、且つ、一方のロックパーツ部材４Ａの張出部４ｂに重なり合うように、略同じ大きさに形成されている板状の重合部４ｆと、主部４ｅのもう一方の側端に連接された板状の薄肉部４ｇとを有しており、薄肉部４ｇの上端部は、更に薄い薄肉部４ｇ１に形成されている。また、主部４ｅの下端水平フランジ４ｅ１の裏面には、上述した係止部材Ｆが形成されている。更に、上記の重合部４ｆには、一方のロックパーツ部材４Ａの張出部４ｂに穿設された嵌合透孔４ｂ１に対応して、嵌合透孔４ｂ１に嵌合する嵌合突部４ｆ１が穿設されている。
【００２３】
ロックパーツ部材４Ａの主部４ａの薄肉部４ａ１や薄肉部４ａ１より薄い薄肉部４ａ１’及びロックパーツ部材４Ｂの薄肉部４ｇや薄肉部４ｇより更に薄い薄肉部４ｇ１にも、折り畳みコンテナーの側壁等を形成する紙製や合成樹脂製の段ボールや薄板等を取り付けるためのリベットやボルトやピン等の取付具が挿入可能な透孔Ｂが、それぞれ適当数、穿設されている。
【００２４】
次に、上述した底部角部パーツ１を用いた底部Ｓの形成について説明する。
【００２５】
先ず最初に、紙製や合成樹脂製の段ボールや薄板等からなる所望の大きさの方形状の底板Ｄ１の角部を、底部角部パーツ１の底板部１ａに載置するとともに、リベットやボルトやピン等の公知の取付具Ｒを用いて、底板Ｄ１を、底部角部パーツ１の底板部１ａに取り付ける。本実施例には、取付具Ｒの一例として、公知の合成樹脂製のリベットＲが使用されている。リベットＲは、先端に鍔ｒ１’を有するシリンダーｒ１と、シリンダーｒ１に挿入された、先端に鍔ｒ２を有するピストンｒ２とから構成されている。リベットＲを用いて、底部角部パーツ１の底板部１ａに、底板Ｄ１を取り付けるには、先ず最初に、ピストンｒ２が挿入されているシリンダーｒ１を、底板Ｄ１を貫通して、底板部１ａに穿設されている透孔Ｂに、シリンダーｒ１の鍔ｒ１’が、底板Ｄ１に接するまで挿通し、その後、ピストンｒ２を、シリンダーｒ１から引き抜くようにすると、ピストンｒ２の先端部は、シリンダーｒ１に接着されているので、シリンダーｒ１が外側に湾曲して湾曲部Ｒ’を形成し、湾曲部Ｒ’とシリンダーｒ１の鍔ｒ１’とにより、底板Ｄ１と底部角部パーツ１の底板部１ａとを挟持し、底部角部パーツ１の底板部１ａに、底板Ｄ１が取り付けられることになる。その後、シリンダーｒ１の鍔ｒ１’から先のピストンｒ２を切断する。なお、このようなリベットＲやリベットＲの取付器具は、既に、公知である。
【００２６】
また、底板Ｄ１の角部に取り付けられた相対する底部角部パーツ１の高さの高い壁部１ｂ１の薄肉部１ｂ５に、高さの高い壁部１ｂ１と略同じ高さの横長の紙製や合成樹脂製の段ボールや薄板等の板材の両端部を重ね合わせるとともに、上述したと同様に、リベットＲを用いて取り付ける。このようにして、底部角部パーツ１の高さの高い壁部１ｂ１に、底部Ｓを形成する高さの高い底部側板Ｄ２が取り付けられる。同様にして、底板Ｄ１の角部に取り付けられた相対する底部角部パーツ１の高さの低い壁部１ｂ２の薄肉部１ｂ６に、高さの低い壁部１ｂ２と略同じ高さの横長の紙製や合成樹脂製の段ボールや薄板等の板材の両端部を重ね合わせるとともに、上述したと同様に、リベットＲを用いて取り付ける。このようにして、底部角部パーツ１の高さの低い壁部１ｂ２に、底部Ｓを形成する高さの低い底部側板Ｄ３が取り付けられる。このようにして、４つの底部角部パーツ１と１枚の底板Ｄ１と２枚の高さの高い底部側板Ｄ２と２枚の高さの低い底部側板Ｄ３とにより、底部Ｓが形成されることになる。なお、本実施例においては、底板Ｄ１が長方形に形成されており、底板Ｄ１の短辺側に、高さの高い底部側板Ｄ２が配置され、底板Ｄ１の長辺側に、高さの低い底部側板Ｄ３が配置されている。
【００２７】
次に、平面形状が略Ｌ字状の雄ヒンジパーツ部材２Ａの上方に、同じく平面形状が略Ｌ字状の中間パーツ部材３Ａを、互いの主部２ａ、３ａ同士及び張出部２ｂ、３ｂ同士が、上下方向に位置するように配置し、その後、雄ヒンジパーツ部材２Ａの主部２ａの上端水平フランジ２ａ１に穿設された係止透孔Ｅに、中間パーツ部材３Ａの主部３ａの下端水平フランジ３ａ３の裏面に配設された係止部材Ｆを挿入し、係止部材Ｆの脚部ｆ１に延設された係止突起ｆ２を、係止透孔Ｅが穿設されている雄ヒンジパーツ部材２Ａの主部２ａの上端水平フランジ２ａ１の裏面に係止させることにより、中間パーツ部材３Ａを、雄ヒンジパーツ部材２Ａに取り付ける。
【００２８】
上述したようにして、雄ヒンジパーツ部材２Ａに、中間パーツ部材３Ａを連結するが、更に、必要に応じて、適当数の中間パーツ部材３Ａ同士を連結し、所望の高さを有する折り畳みコンテナーを形成することになる。下に位置する中間パーツ部材３Ａの主部３ａの上端水平フランジ３ａ１に穿設された係止透孔Ｅに、上に位置する中間パーツ部材３Ａの主部３ａの下端水平フランジ３ａ３の裏面に配設された係止部材Ｆを挿入することにより、下に位置する中間パーツ部材３Ａと上に位置する中間パーツ部材３Ａとを連結することになる。
【００２９】
次に、最上部の平面形状が略Ｌ字状の中間パーツ部材３Ａの上方に、同じく平面形状が略Ｌ字状のロックパーツ部材４Ａを、互いの主部３ａ、４ａ同士及び張出部３ｂ、４ｂ同士が、上下方向に位置するように配置し、その後、最上部の中間パーツ部材３Ａの主部３ａの上端水平フランジ３ａ１に穿設された係止透孔Ｅに、ロックパーツ部材４Ａの主部４ａの下端水平フランジ４ａ２の裏面に配設された係止部材Ｆを挿入して、ロックパーツ部材４Ａを、最上部の中間パーツ部材３Ａに取り付ける。
【００３０】
上述したようにして、１個の雄ヒンジパーツ部材２Ａと適当数の中間パーツ部材３Ａと１個のロックパーツ部材４Ａとにより、一方の角部支柱部材Ｃ１が形成される。このような角部支柱部材Ｃ１を、４つ組み立てる。その後、角部支柱部材Ｃ１を構成する雄ヒンジパーツ部材２Ａの支柱ｈ７を、底部角部パーツ１の高さの高い壁部１ｂ１に形成された縦孔ｈ１に挿入するとともに、支柱ｈ７に延設された係止凸部ｈ８を、底部角部パーツ１のスリットｈ２の両側に位置する壁板１ｂ３の内壁面に突設された係止突部ｈ３の係止ノッチｈ３ａに入り込ませることにより、雄ヒンジパーツ部材２Ａを、底部角部パーツ１の高さの高い壁部１ｂ１にヒンジ連結する。このようにして、底部Ｓの４つの角部に配設された底部角部パーツ１の高さの高い壁部１ｂ１に、角部支柱部材Ｃ１をヒンジ連結する。
【００３１】
次に、雄ヒンジパーツ部材２Ｂの主部２ｃの上端水平フランジ２ｃ１に穿設された係止透孔Ｅに、中間パーツ部材３Ｂの主部３ｃの下端水平フランジ３ｃ２の裏面に配設された係止部材Ｆを挿入し、係止部材Ｆの脚部ｆ１に延設された係止突起ｆ２を、係止透孔Ｅが穿設されている雄ヒンジパーツ部材２Ｂの主部２ｃの上端水平フランジ２ｃ１の裏面に係止させることにより、中間パーツ部材３Ｂを、雄ヒンジパーツ部材２Ｂに取り付ける。
【００３２】
上述したようにして、雄ヒンジパーツ部材２Ｂに、中間パーツ部材３Ｂを連結するが、更に、必要に応じて、適当数の中間パーツ部材３Ｂ同士を連結し、所望の高さを有する折り畳みコンテナーを形成することになる。下に位置する中間パーツ部材３Ｂの主部３ｃの上端水平フランジ３ｃ１に穿設された係止透孔Ｅに、上に位置する中間パーツ部材３Ｂの主部３ｃの下端水平フランジ３ｃ２の裏面に配設された係止部材Ｆを挿入することにより、下に位置する中間パーツ部材３Ｂと上に位置する中間パーツ部材３Ｂを連結することになる。
【００３３】
次に、最上部の中間パーツ部材３Ｂの主部３ｃの上端水平フランジ３ｃ１に穿設された係止透孔Ｅに、ロックパーツ部材４Ｂの主部４ｅの下端水平フランジ４ｅ１の裏面に配設された係止部材Ｆを挿入して、ロックパーツ部材４Ｂを、最上部の中間パーツ部材３Ｂに取り付ける。
【００３４】
上述したようにして、１個の雄ヒンジパーツ部材２Ｂと適当数の中間パーツ部材３Ｂと１個のロックパーツ部材４Ｂとにより、もう一方の角部支柱部材Ｃ２が形成される。このような角部支柱部材Ｃ２を、４つ組み立てる。その後、角部支柱部材Ｃ２を構成する雄ヒンジパーツ部材２Ｂの支柱ｈ９を、底部角部パーツ１の高さの低い壁部１ｂ２に形成された縦孔ｈ４に挿入するとともに、支柱ｈ９に延設された係止凸部ｈ１０を、底部角部パーツ１のスリットｈ５の両側に位置する壁板１ｂ４の内壁面に突設された係止突部ｈ６の係止ノッチｈ６ａに入り込ませることにより、雄ヒンジパーツ部材２Ｂを、底部角部パーツ１の高さの低い壁部１ｂ２にヒンジ連結する。このようにして、底部Ｓの４つの角部に配設された底部角部パーツ１の高さの低い壁部１ｂ２に、角部支柱部材Ｃ２をヒンジ連結する。
【００３５】
上述した底部Ｓの４つの角部に配設された底部角部パーツ１の高さの高い壁部１ｂ１にヒンジ連結された角部支柱部材Ｃ１と、底部Ｓの４つの角部に配設された底部角部パーツ１の高さの低い壁部１ｂ２にヒンジ連結された角部支柱部材Ｃ２とは、角部支柱部材Ｃ１と角部支柱部材Ｃ２とを、略垂直に立てた際に、角部支柱部材Ｃ１を構成する雄ヒンジパーツ部材２Ａの張出部２ｂが、角部支柱部材Ｃ２を構成する雄ヒンジパーツ部材２Ｂの重合部２ｄに当接し、また、角部支柱部材Ｃ１を構成する中間パーツ部材３Ａの張出部３ｂが、角部支柱部材Ｃ２を構成する中間パーツ部材３Ｂの重合部３ｄに当接し、更に、角部支柱部材Ｃ１を構成するロックパーツ部材４Ａの張出部４ｂが、角部支柱部材Ｃ２を構成するロックパーツ部材４Ｂの重合部４ｆに当接するように構成されているとともに、角部支柱部材Ｃ１を構成する雄ヒンジパーツ部材２Ａの張出部２ｂに形成された嵌合透孔２ｂ１に、角部支柱部材Ｃ２を構成する雄ヒンジパーツ部材２Ｂの重合部２ｄに突設された嵌合突部２ｄ１が嵌合し、また、角部支柱部材Ｃ１を構成するロックパーツ部材４Ａの張出部４ｂに形成された嵌合透孔４ｂ１に、角部支柱部材Ｃ２を構成するロックパーツ部材４Ｂの重合部４ｆに突設された嵌合突部４ｆ１が嵌合するように構成されている。
【００３６】
次に、角部支柱部材Ｃ１を構成する雄ヒンジパーツ部材２Ａの主部２ａ、中間パーツ部材３Ａの主部３ａ及びロックパーツ部材４Ａの主部４ａに形成された、上下方向に連続する雄ヒンジパーツ部材２Ａの薄肉部２ａ２、中間パーツ部材３Ａの薄肉部３ａ２及びロックパーツ部材４Ａの薄肉部４ａ１、４ａ１’に、紙製や合成樹脂製の段ボールや薄板等の板材Ｄ４の両端部を重ね合わせるとともに、上述したと同様に、リベットＲを用いて、板材Ｄ４を取り付けることにより、一対の角部支柱部材Ｃ１を、板材Ｄ４を用いて連結する。このようにして、１個の雄ヒンジパーツ部材２Ａと適当数の中間パーツ部材３Ａと１個のロックパーツ部材４Ａとからなる一対の角部支柱部材Ｃ１と、一対の角部支柱部材Ｃ１を連結する板材Ｄ４とにより、折り畳みコンテナーを構成する相対する一方の側壁Ｗ１が形成される。本実施例においては、側壁Ｗ１は、幅の狭い短側壁Ｗ１を構成している。上記のように、板材Ｄ４の両端部を、雄ヒンジパーツ部材２Ａの薄肉部２ａ２、中間パーツ部材３Ａの薄肉部３ａ２及びロックパーツ部材４Ａの薄肉部４ａ１、４ａ１’に配設することにより、板材Ｄ４と、雄ヒンジパーツ部材２Ａの主部２ａ、中間パーツ部材３Ａの主部３ａ及びロックパーツ部材４Ａの主部４ａとが、折り畳みコンテナーを箱型に組みたてた際に、その内側において、略面一になるように構成されている。
【００３７】
同様にして、角部支柱部材Ｃ２を構成する雄ヒンジパーツ部材２Ｂの主部２ｃ、中間パーツ部材３Ｂの主部３ｃ及びロックパーツ部材４Ｂの主部４ｅに形成された、上下方向に連続する雄ヒンジパーツ部材２Ｂの薄肉部２ｃ２、中間パーツ部材３Ｂの薄肉部３ｅ及びロックパーツ部材４Ｂの薄肉部４ｇ、４ｇ１に、紙製や合成樹脂製の段ボールや薄板等の板材Ｄ５の両端部を重ね合わせるとともに、上述したと同様に、リベットＲを用いて、板材Ｄ５を取り付けることにより、一対の角部支柱部材Ｃ２を、板材Ｄ５を用いて連結する。このようにして、１個の雄ヒンジパーツ部材２Ｂと適当数の中間パーツ部材３Ｂと１個のロックパーツ部材４Ｂとからなる一対の角部支柱部材Ｃ２と、一対の角部支柱部材Ｃ２を連結する板材Ｄ５とにより、折り畳みコンテナーを構成する相対する一方の側壁Ｗ２が形成される。本実施例においては、側壁Ｗ２は、幅の広い長側壁Ｗ２を構成している。上記のように、板材Ｄ５の両端部を、雄ヒンジパーツ部材２Ｂの薄肉部２ｃ２、中間パーツ部材３Ｂの薄肉部３ｅ及びロックパーツ部材４Ｂの薄肉部４ｇ、４ｇ１に配設することにより、板材Ｄ５と、雄ヒンジパーツ部材２Ｂの主部２ｃ、中間パーツ部材３Ｂの主部３ｃ及びロックパーツ部材４Ｂの主部４ｅとが、折り畳みコンテナーを箱型に組みたてた際に、その内側において、略面一になるように構成されている。
【００３８】
上述したようにして、４つの底部角部パーツ１と１枚の底板Ｄ１と２枚の高さの高い底部側板Ｄ２と２枚の高さの低い底部側板Ｄ３とからなる底部Ｓ、１個の雄ヒンジパーツ部材２Ａと適当数の中間パーツ部材３Ａと１個のロックパーツ部材４Ａとからなる一対の角部支柱部材Ｃ１と、該角部支柱部材Ｃ１を連結する板材Ｄ４とからなる短側壁Ｗ１及び１個の雄ヒンジパーツ部材２Ｂと適当数の中間パーツ部材３Ｂと１個のロックパーツ部材４Ｂとからなる一対の角部支柱部材Ｃ２と、該角部支柱部材Ｃ２を連結する板材Ｄ５とからなる長側壁Ｗ２とにより、折り畳みコンテナーが構成されることになる。
【００３９】
図１８に示されているように、長側壁Ｗ２が、底部Ｓに重なるように倒され、また、短側壁Ｗ１が、底部Ｓに重ねられている長側壁Ｗ２に、重なるように倒された折り畳みコンテナーの折り畳まれた状態から、図２０に示されているように、箱型に組み立てるには、先ず最初に、短側壁Ｗ１を、垂直方向に回動させて、図１９に示されているように、短側壁Ｗ１を、略垂直に立てる。次いで、長側壁Ｗ２を、垂直方向に回動させて、略垂直に立てることにより、図２０に示されているように、箱型に組み立てる。折り畳みコンテナーが箱型に組み立てられた際には、角部支柱部材Ｃ１を構成するロックパーツ部材４Ａの係止舌片４ｄの係止突部４ｄ２が、角部支柱部材Ｃ２を構成するロックパーツ部材４Ｂの重合部４ｆに形成された凹部４ｆ２に挿入され、先に倒される長側壁Ｗ２と後から倒される短側壁Ｗ１とが係合状態を維持し、先に倒される長側壁Ｗ２が、簡単には、底部Ｓ方向に倒れないように構成されている。なお、折り畳みコンテナーが組み立てられた際には、底部角部パーツ１の高さの高い壁部１ｂ１の高さの低い壁部１ｂ２側部分１ｂ１’の上部角部に形成された嵌合凸部１ｄが、雄ヒンジパーツ部材２Ａの主部２ａの張出部２ｂ付近の下端に形成された切り込み凹部２ａ４に挿入されるように構成されている。
【００４０】
図１７や図１８〜図２０において、Ｐは、図１７に示されているように、相対する垂直壁ｐ１と、相対する垂直壁ｐ１の上端を連結する水平部ｐ２とからなる略逆Ｕ字状の補強枠Ｐであり、短側壁Ｗ１や長側壁Ｗ２を構成する板材Ｄ４、Ｄ５の上端部を、補強枠Ｐの相対する垂直壁ｐ１と水平部ｐ２とにより形成される凹部ｐ３に嵌入することにより、短側壁Ｗ１や長側壁Ｗ２の強度及び曲げ剛性を向上することができる。補強枠Ｐは、ロックパーツ部材４Ａの主部４ａに形成された薄肉部４ａ１より薄い薄肉部４ａ１’及びロックパーツ部材４Ｂの薄肉部４ｇより薄い薄肉部４ｇ１に嵌合されるように構成されている。このように、補強枠Ｐを、ロックパーツ部材４Ａの主部４ａに形成された薄肉部４ａ１より薄い薄肉部４ａ１’及びロックパーツ部材４Ｂの薄肉部４ｇより薄い薄肉部４ｇ１に嵌合することにより、補強枠Ｐが、過度に、折り畳みコンテナーの内部に飛び出ないように構成されている。
【００４１】
上述したように、折り畳みコンテナーを構成する相対する短側壁Ｗ１の角部支柱部材Ｃ１を、１個の雄ヒンジパーツ部材２Ａと適当数の中間パーツ部材３Ａと１個のロックパーツ部材４Ａとにより構成し、中間パーツ部材３Ａの数を、適宜、調整することにより、角部支柱部材Ｃ１の高さを、所望の高さに設定することができるとともに、折り畳みコンテナーを構成する相対する長側壁Ｗ２の角部支柱部材Ｃ２を、１個の雄ヒンジパーツ部材２Ｂと適当数の中間パーツ部材３Ｂと１個のロックパーツ部材４Ｂとにより構成し、中間パーツ部材３Ｂの数を、適宜、調整することにより、角部支柱部材Ｃ２の高さを、所望の高さに設定することができるので、折り畳みコンテナーの高さを、自由に変更可能であり、また、底部Ｓを構成する４つの底部角部パーツ１の相対する間隔を、適宜、調整することにより、底部Ｓの面積を、適宜、設定することができるので、折り畳みコンテナーの容積を、自由に、調整することができる。
【００４２】
【発明の効果】
本発明は、以上説明した構成を有しているので、以下に記載する効果を奏するものである。
【００４３】
４つの底部角部パーツの相対する間隔を、適宜、調整することにより、底部の面積を、適宜、設定することができるので、折り畳みコンテナーの容積を、自由に、調整することができる。
【００４４】
また、側壁を、１個の雄ヒンジパーツ部材と適当数の中間パーツ部材と１個のロックパーツ部材とからなる角部支柱部材と、該角部支柱部材を連結する板材とにより構成したので、中間パーツ部材の数を、適宜、調整することにより、折り畳みコンテナーの高さを、所望の高さに設定することができ、従って、折り畳みコンテナーの容積を、自由に、調整することができる。
【図面の簡単な説明】
【図１】図１は本発明の折り畳みコンテナーを構成する角部支柱部材の分解斜視図である。
【図２】図２は同じく本発明の折り畳みコンテナーを構成する角部支柱部材の分解斜視図である。
【図３】図３は本発明の折り畳みコンテナーの角部支柱部材を構成する底部角部パーツの斜視図である。
【図４】図４は同じく本発明の折り畳みコンテナーの角部支柱部材を構成する底部角部パーツの斜視図である。
【図５】図５は本発明の折り畳みコンテナーの角部支柱部材を構成する雄ヒンジパーツの一方の雄ヒンジパーツ部材の斜視図である。
【図６】図６は同じく本発明の折り畳みコンテナーの角部支柱部材を構成する雄ヒンジパーツの一方の雄ヒンジパーツ部材の斜視図である。
【図７】図７は本発明の折り畳みコンテナーの角部支柱部材を構成する雄ヒンジパーツのもう一方の雄ヒンジパーツ部材の斜視図である。
【図８】図８は同じく本発明の折り畳みコンテナーの角部支柱部材を構成する雄ヒンジパーツのもう一方の雄ヒンジパーツ部材の斜視図である。
【図９】図９は本発明の折り畳みコンテナーの角部支柱部材を構成する中間パーツの一方の中間パーツ部材の斜視図である。
【図１０】図１０は同じく本発明の折り畳みコンテナーの角部支柱部材を構成する中間パーツの一方の中間パーツ部材の斜視図である。
【図１１】図９は本発明の折り畳みコンテナーの角部支柱部材を構成する中間パーツのもう一方の中間パーツ部材の斜視図である。
【図１２】図１０は同じく本発明の折り畳みコンテナーの角部支柱部材を構成する中間パーツのもう一方の中間パーツ部材の斜視図である。
【図１３】図１３は本発明の折り畳みコンテナーの角部支柱部材を構成するロックパーツの一方のロックパーツ部材の斜視図である。
【図１４】図１４は同じく本発明の折り畳みコンテナーの角部支柱部材を構成するロックパーツの一方のロックパーツ部材の斜視図である。
【図１５】図１５は本発明の折り畳みコンテナーの角部支柱部材を構成するロックパーツのもう一方のロックパーツ部材の斜視図である。
【図１６】図１６は同じく本発明の折り畳みコンテナーの角部支柱部材を構成するロックパーツのもう一方のロックパーツ部材の斜視図である。
【図１７】図１７は本発明の折り畳みコンテナーを構成する角部支柱部材の斜視図である。
【図１８】図１８は本発明の折り畳みコンテナーが折り畳まれた状態の斜視図である。
【図１９】図１９は本発明の折り畳みコンテナーの折り畳み途中或いは組み立て途中の斜視図である。
【図２０】図２０は本発明の折り畳みコンテナーが箱型に組み立てられた状態の斜視図である。
【符号の説明】
Ｃ１、Ｃ２・・・・・・・・・・・・角部支柱部材
Ｄ１・・・・・・・・・・・・・・・底板
Ｅ・・・・・・・・・・・・・・・・係止透孔
Ｆ・・・・・・・・・・・・・・・・係止部材
Ｒ・・・・・・・・・・・・・・・・リベット
Ｓ・・・・・・・・・・・・・・・・底部
Ｗ１・・・・・・・・・・・・・・・短側壁
Ｗ２・・・・・・・・・・・・・・・長側壁
１・・・・・・・・・・・・・・・・底部角部パーツ
２・・・・・・・・・・・・・・・・雄ヒンジパーツ
３・・・・・・・・・・・・・・・・中間パーツ
４・・・・・・・・・・・・・・・・ロックパーツ
【図１】
2004106896.tif 000003
【図２】
2004106896.tif 000004
【図３】
2004106896.tif 000005
【図４】
2004106896.tif 000006
【図５】
2004106896.tif 000007
【図６】
2004106896.tif 000008
【図７】
2004106896.tif 000009
【図８】
2004106896.tif 000010
【図９】
2004106896.tif 000011
【図１０】
2004106896.tif 000012
【図１１】
2004106896.tif 000013
【図１２】
2004106896.tif 000014
【図１３】
2004106896.tif 000015
【図１４】
2004106896.tif 000016
【図１５】
2004106896.tif 000017
【図１６】
2004106896.tif 000018
【図１７】
2004106896.tif 000019
【図１８】
2004106896.tif 000020
【図１９】
2004106896.tif 000021
【図２０】
2004106896.tif 000022